(57)【要約】【課題】土、泥が付着したり、カビが発生した場所等を掃除しても掃除機の先端や内部が汚れず、様々な太さの吸引ホースに装着でき、複数重ねてコンパクトに収納できる使い捨ての掃除機用ノズルを提供すること。【解決手段】両端面が開口し、基端部を掃除機の吸引ホースの先端部内に嵌合可能とした筒体２と、通気性素材より成り、前端が開口したごみ収集袋３とを備え、筒体２には基端縁から適宜長さに亘って縦割り線５が形成され、ごみ収集袋３の前端周縁が、縦割り線よりも先端側において筒体２の内周囲に沿って固定されている。【選択図】  図１
2014200435.tif 000002
【特許請求の範囲】
【請求項１】
両端面が開口し、基端部を掃除機の吸引ホースの先端部内に嵌合可能とした筒体と、通気性素材より成り、前端が開口したごみ収集袋とを備え、前記筒体には基端縁から適宜長さに亘って縦割り線が形成され、前記ごみ収集袋の前端周縁が、前記縦割り線よりも先端側において、前記筒体の内周囲に沿って固定されていることを特徴とする使い捨ての掃除機用ノズル。
【請求項２】
前記ごみ収集袋よりも先端側において前記筒体の内面に、該筒体の断面の一側を閉鎖する仕切り板が取り付けられていることを特徴とする請求項１に記載された使い捨ての掃除機用ノズル。
【請求項３】
前記ごみ収集袋の後端部に、該ごみ収集袋と異なる色の目印が装着されていることを特徴とする請求項１又は２に記載された使い捨ての掃除機用ノズル。
【発明の詳細な説明】
【技術分野】
【０００１】
本発明は、掃除機の吸引ホースの先端に着脱可能に装着される使い捨ての掃除機用ノズルに関する。
【背景技術】
【０００２】
掃除機で土、泥等が付着した場所、カビや虫が発生した場所等を掃除すると、吸引した汚染物の廃棄、掃除機の先端及び内部の洗浄や除菌に手間がかかる。
従来、掃除機で吸引したごみを、掃除機内部に達する前に受け止めて廃棄できる掃除機用の部品が種々提案されている。
例えば、特許文献１には、補助輪の端部に網を設けた掃除機用の網具が記載されている。この網具を用いると、吸引したごみが網に引っ掛かるので掃除機内部に達することはないが、掃除機の吸引ノズルと掃出口の嵌合部分に網具を挟みこんで装着するため、掃除機の吸引ノズルの汚れを防ぐことはできなかった。
【０００３】
また、特許文献２には、掃除機の吸引ホースの先端部に着脱可能に差し込まれる筒部材と、筒部材の先端部に内部へ入り込むように取り付けられたフィルターとから成る掃除機用ノズルが記載されている。
しかし、この掃除機用ノズルも、使用後に廃棄することを想定していないため、洗浄や除菌が必要であり、しかも、複数準備したノズルをコンパクトに収納するための手段を有していなかった。
【先行技術文献】
【特許文献】
【０００４】
【特許文献１】特開平７-２８４４６６号公報
【特許文献２】特開平８-２３８２０１号公報
【発明の概要】
【発明が解決しようとする課題】
【０００５】
本発明が解決しようとする課題は、土、泥が付着したり、カビや虫が発生した場所等を掃除しても掃除機の先端や内部が汚れず、様々な太さの吸引ホースに装着でき、未使用のものを複数重ねてコンパクトに収納できる使い捨ての掃除機用ノズルを提供することにある。
【課題を解決するための手段】
【０００６】
本発明の掃除機用ノズルは、両端面が開口し、基端部を掃除機の吸引ホースの先端部内に嵌合可能とした筒体と、通気性素材より成り、前端が開口したごみ収集袋とを備え、前記筒体には基端縁から適宜長さに亘って縦割り線が形成され、前記ごみ収集袋の前端周縁が、前記縦割り線よりも先端側において、前記筒体の内周囲に沿って固定されている。
前記ごみ収集袋よりも先端側において前記筒体の内面に、該筒体の断面の一側を閉鎖する仕切り板を取り付けるとよい。
前記ごみ収集袋の後端部に、該ごみ収集袋と異なる色の目印を装着してもよい。
【発明の効果】
【０００７】
請求項１に係る発明によれば、土、泥等で汚れた場所、カビや虫が発生した場所等を掃除する際に、ごみ収集袋を筒体の後方へ伸ばし、筒体の基端部を掃除機の吸引ホースの先端部内に嵌合して吸引を行なうと、ごみがごみ収集袋内に集められるので、掃除が終了したら筒体ごと外して廃棄するだけで済み、掃除機の先端や内部が汚れることもなく、掃除後に掃除機の先端や内部を洗浄する手間が省ける。
また、縦割り線の両側の部分を重ね、重ね幅を調節することにより、太さが異なる様々なタイプの吸引ホースに装着することができる。
さらに、筒体の内部にごみ収集袋を押し込んだ状態で、筒体の基端部を縦割り線の部分から縮めて細くし、別の筒体の先端部に挿入して複数の筒体どうしを重ねることにより、未使用のものをコンパクトに収納することができる。
【０００８】
請求項２に係る発明によれば、ごみ収集袋内に集められた土、泥等が仕切り板でせき止められて逆流し難いので、吸引を停止した時に筒体の先端から土、泥等が脱出するのを防止できる。
また、筒体内部の仕切り板が設置されていない部分は開放されているので、木の葉等が詰まる心配もない。
請求項３に係る発明によれば、目印を摘まんで引くことにより、ごみ収集袋を筒体から後方へ引き出しやすい。
【図面の簡単な説明】
【０００９】
【図１】本発明の実施例を示す掃除機用ノズルの斜視図。
【図２】本発明の実施例を示す掃除機用ノズルの縦断面図。
【図３】本発明の実施例に係る筒体の横断面図。
【図４】本発明の実施例を示す掃除機用ノズルの収納状態における正面図。
【図５】本発明の実施例を示す掃除機用ノズルの使用状態における断面図。
【発明を実施するための形態】
【００１０】
以下、本発明の実施例を図面に基づいて詳細に説明する。
図１及び図２に示すように、本発明の掃除機用ノズル１は、筒体２と、ごみ収集袋３とを備える。
筒体２は、厚手の紙又はプラスチックシートより成り、４ｃｍ程度の直径を有する。また、筒体２の両端面は開口しており、筒体２の先端面は軸方向に対し傾斜して先細部４が形成されている。
筒体２の基端部には、基端縁から適宜長さ（５ｃｍ程度）に亘って縦割り線５が形成されている。本実施例では、２本の縦割り線５を周方向の両側に設けてある。
図３に示すように、縦割り線５よりも先端側において筒体２の内面には、断面の一側を閉鎖する半月状の仕切り板６が取り付けられている。
【００１１】
図１及び図２に示すように、ごみ収集袋３は、不織布、目の細かい網布等の通気性素材より成り、前端が開口した袋状に形成される。ごみ収集袋３の前端の周長は筒体２の内周よりやや長い程度とされ、ごみ収集袋３の幅は前端から後方に向かって次第に広くなり、中間部から後端に向かって次第に狭くなっている。また、ごみ収集袋３の後端には、ごみ収集袋３とは異なる色の目印７が装着されている。
ごみ収集袋３の前端周縁は、縦割り線５と仕切り板６の間において、筒体２の内周囲に沿って固定されている（図３）。
【００１２】
この掃除機用ノズル１は、使い捨てなので複数準備しておく。そして、使用しない時は、図４に示すように、ごみ収集袋３を筒体２の内部に押し込んであり、筒体２の基端部を縦割り線５の部分から縮めて細くし、別の筒体２の先端部に差し込んで、複数の掃除機用ノズル１を重ねて収納しておく。
掃除機用ノズル１を使用する際には、最も上段の掃除機用ノズル１を引き抜き、目印７の部分を摘まんでごみ収集袋３を筒体２の基端面から引き出す。
そして、図５に示すように、ごみ収集袋３を掃除機の吸引ホース８の内部へ挿入しながら、筒体２の基端部を吸引ホース８の先端部内へ嵌合する。
この時、縦割り線５の両側の部分を重ね、重ね幅を調節することにより、筒体２の基端部の直径を吸引ホース８の内径に合わせる。また、縦割り線５の両側の重ねた部分が元に戻ろうとする力により、筒体２の基端部は吸引ホース８内にしっかり保持される。
【００１３】
この状態で、通常と同様に掃除機を作動させると、筒体２の先端から吸引された土、泥等のごみがごみ収集袋３内に集められ、掃除機の内部にまで達しない。また、部屋の角部等のごみを吸引し難い場所であっても、筒体２の先端に形成された先細部４を差し入れることにより確実に掃除できる。
掃除が終了したら、掃除機の吸引を停止し、掃除機用ノズル１を吸引ホース８から引き抜き、ごみ収集袋３に集めたごみと共に廃棄する。
なお、掃除機の吸引を停止した時に、ごみ収集袋３内のごみは仕切り板６にせき止められて筒体２の先端から脱出し難い。
【符号の説明】
【００１４】
１    掃除機用ノズル
２    筒体
３    ごみ収集袋
４    先細部
５    縦割り線
６    仕切り板
７    目印
８    吸引ホース
【図１】
2014200435.tif 000003
【図２】
2014200435.tif 000004
【図３】
2014200435.tif 000005
【図４】
2014200435.tif 000006
【図５】
2014200435.tif 000007
【手続補正書】
【提出日】平成25年5月30日(2013.5.30)
【手続補正１】
【補正対象書類名】明細書
【補正対象項目名】全文
【補正方法】変更
【補正の内容】
【発明の詳細な説明】
【技術分野】
【０００１】
本発明は、掃除機の吸引ホースの先端に着脱可能に装着される使い捨ての掃除機用ノズルを複数重ねて成る掃除機用ノズル積層物に関する。
【背景技術】
【０００２】
掃除機で土、泥等が付着した場所、カビや虫が発生した場所等を掃除すると、吸引した汚染物の廃棄、掃除機の先端及び内部の洗浄や除菌に手間がかかる。
従来、掃除機で吸引したごみを、掃除機内部に達する前に受け止めて廃棄できる掃除機用の部品が種々提案されている。
例えば、特許文献１には、補助輪の端部に網を設けた掃除機用の網具が記載されている。この網具を用いると、吸引したごみが網に引っ掛かるので掃除機内部に達することはないが、掃除機の吸引ノズルと掃出口の嵌合部分に網具を挟みこんで装着するため、掃除機の吸引ノズルの汚れを防ぐことはできなかった。
【０００３】
また、特許文献２には、掃除機の吸引ホースの先端部に着脱可能に差し込まれる筒部材と、筒部材の先端部に内部へ入り込むように取り付けられたフィルターとから成る掃除機用ノズルが記載されている。
しかし、この掃除機用ノズルも、使用後に廃棄することを想定していないため、洗浄や除菌が必要であり、しかも、複数準備したノズルをコンパクトに収納するための手段を有していなかった。
【先行技術文献】
【特許文献】
【０００４】
【特許文献１】特開平７-２８４４６６号公報
【特許文献２】特開平８-２３８２０１号公報
【発明の概要】
【発明が解決しようとする課題】
【０００５】
本発明が解決しようとする課題は、土、泥が付着したり、カビや虫が発生した場所等を掃除しても掃除機の先端や内部が汚れず、様々な太さの吸引ホースに装着できる使い捨ての掃除機用ノズルを、未使用の状態で複数重ねて成り、コンパクトに収納できる掃除機用ノズル積層物を提供することにある。
【課題を解決するための手段】
【０００６】
本発明の掃除機用ノズル積層物は、両端面が開口し、該両端面の内の一方側の端部を掃除機の吸引ホースの先端部内に嵌合可能とした筒体と、通気性素材より成り、前端が開口したごみ収集袋とを備えた使い捨ての掃除機用ノズルを、分離可能に複数重ねたものであって、前記筒体には、前記一方側の端部の端面から長手方向の切り込みが形成され、前記ごみ収集袋の前端周縁が、前記切り込みよりも前記両端面の内の他方側において、前記筒体の内周囲に沿って固定され、前記筒体の一方側の端部を前記切り込みの部分から縮めて細くし、別の筒体の他方側の端部に差し込んで、複数重ねてある。
前記ごみ収集袋よりも前記両端面の内の他方側において前記筒体の内面に、前記ごみ収集袋内のごみをせき止める半月状の仕切り板を取り付けるとよい。
【発明の効果】
【０００７】
請求項１に係る発明によれば、土、泥等で汚れた場所、カビや虫が発生した場所等を掃除する際に、掃除機用ノズルを引き抜いて、ごみ収集袋を筒体の後方へ伸ばし、筒体の一方側の端部を掃除機の吸引ホースの先端部内に嵌合して吸引を行なうと、ごみがごみ収集袋内に集められるので、掃除が終了したら筒体ごと外して廃棄するだけで済み、掃除機の先端や内部が汚れることもなく、掃除後に掃除機の先端や内部を洗浄する手間が省ける。
また、切り込みの両側の部分を重ね、重ね幅を調節することにより、太さが異なる様々なタイプの吸引ホースに装着することができる。
さらに、筒体の内部にごみ収集袋を押し込んだ状態で、筒体の一方側の端部を切り込みの部分から縮めて細くし、別の筒体の他方側の端部に挿入して複数の筒体どうしを重ねてあるので、未使用の掃除機用ノズルをコンパクトに収納することができる。
【０００８】
請求項２に係る発明によれば、ごみ収集袋内に集められた土、泥等が仕切り板でせき止められて逆流し難いので、吸引を停止した時に筒体の先端から土、泥等が脱出するのを防止できる。
また、筒体内部の仕切り板が設置されていない部分は開放されているので、木の葉等が詰まる心配もない。
【図面の簡単な説明】
【０００９】
【図１】本発明の実施例に係る掃除機用ノズルの斜視図。
【図２】本発明の実施例に係る掃除機用ノズルの縦断面図。
【図３】本発明の実施例に係る筒体の横断面図。
【図４】本発明の実施例を示す掃除機用ノズル積層物の正面図。
【図５】本発明の実施例に係る掃除機用ノズルの使用状態における断面図。
【発明を実施するための形態】
【００１０】
以下、本発明の実施例を図面に基づいて詳細に説明する。
図１及び図２に示すように、本発明に係る掃除機用ノズル１は、筒体２と、ごみ収集袋３とを備える。
筒体２は、厚手の紙又はプラスチックシートより成り、４ｃｍ程度の直径を有する。また、筒体２の両端面は開口しており、以下の説明では、両端面の内、一方側の端部を基端部、他方側の端部を先端部と称する。筒体２の先端部の端面は軸方向に対し傾斜して先細部４が形成されている。
筒体２の基端部には、該基端部の端面から適宜長さ（５ｃｍ程度）に亘って長手方向の切り込み５が形成されている。本実施例では、２本の切り込み５を周方向の両側に設けてある。
図３に示すように、切り込み５よりも先端部側において筒体２の内面には、周方向の断面の一側を閉鎖する半月状の仕切り板６が取り付けられている。
【００１１】
図１及び図２に示すように、ごみ収集袋３は、不織布、目の細かい網布等の通気性素材より成り、前端が開口した袋状に形成される。ごみ収集袋３の前端の周長は筒体２の内周よりやや長い程度とされ、ごみ収集袋３の幅は前端から後方に向かって次第に広くなり、中間部から後端に向かって次第に狭くなっている。また、ごみ収集袋３の後端には、ごみ収集袋３とは異なる色の目印７が装着されている。
ごみ収集袋３の前端周縁は、切り込み５と仕切り板６の間において、筒体２の内周囲に沿って固定されている（図３）。
【００１２】
この掃除機用ノズル１は、使い捨てなので複数準備しておく。そして、使用しない時は、図４に示すように、ごみ収集袋３を筒体２の内部に押し込んであり、筒体２の基端部を切り込み５の部分から縮めて細くし、別の筒体２の先端部に差し込んで、複数の掃除機用ノズル１を重ねて収納しておく。
掃除機用ノズル１を使用する際には、最も上段の掃除機用ノズル１を引き抜き、目印７の部分を摘まんでごみ収集袋３を筒体２の基端部の端面から引き出す。
そして、図５に示すように、ごみ収集袋３を掃除機の吸引ホース８の内部へ挿入しながら、筒体２の基端部を吸引ホース８の先端部内へ嵌合する。
この時、切り込み５の両側の部分を重ね、重ね幅を調節することにより、筒体２の基端部の直径を吸引ホース８の内径に合わせる。また、切り込み５の両側の重ねた部分が元に戻ろうとする力により、筒体２の基端部は吸引ホース８内にしっかり保持される。
【００１３】
この状態で、通常と同様に掃除機を作動させると、筒体２の先端から吸引された土、泥等のごみがごみ収集袋３内に集められ、掃除機の内部にまで達しない。また、部屋の角部等のごみを吸引し難い場所であっても、筒体２の先端に形成された先細部４を差し入れることにより確実に掃除できる。
掃除が終了したら、掃除機の吸引を停止し、掃除機用ノズル１を吸引ホース８から引き抜き、ごみ収集袋３に集めたごみと共に廃棄する。
なお、掃除機の吸引を停止した時に、ごみ収集袋３内のごみは仕切り板６にせき止められて筒体２の先端から脱出し難い。
【符号の説明】
【００１４】
１    掃除機用ノズル
２    筒体
３    ごみ収集袋
４    先細部
５    切り込み
６    仕切り板
７    目印
８    吸引ホース
【手続補正２】
【補正対象書類名】特許請求の範囲
【補正対象項目名】全文
【補正方法】変更
【補正の内容】
【特許請求の範囲】
【請求項１】
両端面が開口し、該両端面の内の一方側の端部を掃除機の吸引ホースの先端部内に嵌合可能とした筒体と、通気性素材より成り、前端が開口したごみ収集袋とを備えた使い捨ての掃除機用ノズルを、分離可能に複数重ねたものであって、前記筒体には、前記一方側の端部の端面から長手方向の切り込みが形成され、前記ごみ収集袋の前端周縁が、前記切り込みよりも前記両端面の内の他方側において、前記筒体の内周囲に沿って固定され、前記筒体の一方側の端部を前記切り込みの部分から縮めて細くし、別の筒体の他方側の端部に差し込んで、複数重ねてあることを特徴とした掃除機用ノズル積層物。
【請求項２】
前記ごみ収集袋よりも前記両端面の内の他方側において前記筒体の内面に、前記ごみ収集袋内のごみをせき止める半月状の仕切り板が取り付けられていることを特徴とする請求項１に記載された掃除機用ノズル積層物。
【手続補正３】
【補正対象書類名】図面
【補正対象項目名】図１
【補正方法】変更
【補正の内容】
【図１】
2014200435.tif 000008